(57)【要約】【課題】より汎用性の高い墨版維持方法を提供する。【解決手段】墨版（Ｋ）とシアン（Ｃ）、マゼンダ（Ｍ）、イエロー（Ｙ）との組み合わせで色再現を行う印刷装置１において、シアン（Ｃ）、マゼンダ（Ｍ）、イエロー（Ｙ）のみの組み合わせで再現される第１の色のカラー制御値CMYK2=(Co2,Mo2,Yo2,0)に墨版を付加することで再現される第２の色を再現するための墨版濃度を含むカラー制御値CMYK4=(Co2,Mo2,Yo2,Kp)を算出する色再現方法であって、イエロー（Ｙ）の濃度100%のみによる再現色を代表色として当該代表色に対して墨版を付加することで生じる当該代表色の明度及び彩度の特性変化を示す特性データ４１をカラープロファイルProfDに基づいて算出するステップと、特性データ４１に基づき墨版濃度Kpを算出するステップと、を有する。【選択図】図９
2010199773.tif 000002
【特許請求の範囲】
【請求項１】
墨版と複数の有彩色色材との組み合わせで色再現を行うカラー印刷装置において、前記有彩色色材のみの組み合わせで再現される第１の色に前記墨版を付加することで再現される第２の色を再現するための前記第１の色に対する前記墨版の付加量を含むカラー制御値を算出する色再現方法であって、
前記有彩色色材のいずれかのみ又は前記有彩色色材の組み合わせで再現される色のうち一つの代表色に対して前記墨版を付加することで生じる前記代表色の明度及び彩度の特性変化を示す特性データを、前記カラー印刷装置のカラープロファイルに基づいて算出するステップと、
前記特性データに基づき前記カラー制御値を算出するステップと、を有することを特徴とする色再現方法。
【請求項２】
前記代表色は複数の前記有彩色色材のうち一つの有彩色色材のみを用いることにより再現される色であることを特徴とする請求項１に記載の色再現方法。
【請求項３】
前記有彩色色材が少なくともシアン、マゼンダ及びイエローの三色を含むカラー印刷装置の色再現方法であって、前記代表色がイエローであることを特徴とする請求項２に記載の色再現方法。
【請求項４】
前記代表色は一つの有彩色色材のみを最大濃度で用いることにより再現される色であることを特徴とする請求項２又は３に記載の色再現方法。
【請求項５】
墨版と複数の有彩色色材との組み合わせで色再現を行う第１のカラー印刷装置で再現される色を、墨版と複数の有彩色色材との組み合わせで前記第１のカラー印刷装置とは異なる色再現特性により色再現を行う第２のカラー印刷装置で再現するために、第１のカラー印刷装置のカラープロファイル及び第２のカラー印刷装置のカラープロファイル並びに前記第１のカラー印刷装置における色再現に対応する第１のカラー制御値に基づいて前記第２のカラー印刷装置における色再現に対応する第２のカラー制御値を算出する色再現方法であって、
前記第２のカラー印刷装置で用いる複数の有彩色色材のいずれかのみ又は複数の有彩色色材の組み合わせで再現される色のうち一つの代表色に対して前記第２のカラー印刷装置で用いる前記墨版を付加することで生じる前記代表色の明度及び彩度の特性変化を示す特性データを前記第２のカラー印刷装置のカラープロファイルに基づいて算出するステップと、
前記特性データに基づき前記第２のカラー制御値を算出するステップと、を有することを特徴とする色再現方法。
【請求項６】
前記代表色は複数の前記有彩色色材のうち一つの有彩色色材のみを用いることにより再現される色であることを特徴とする請求項５に記載の色再現方法。
【請求項７】
前記有彩色色材が少なくともシアン、マゼンダ及びイエローの三色を含むカラー印刷装置の色再現方法であって、前記代表色がイエローであることを特徴とする請求項６に記載の色再現方法。
【請求項８】
前記代表色は一つの有彩色色材のみを最大濃度で用いることにより再現される色であることを特徴とする請求項５又は６に記載の色再現方法。
【請求項９】
墨版と複数の有彩色色材との組み合わせで色再現を行うカラー印刷装置による前記有彩色色材のみの組み合わせで再現される第１の色に前記墨版を付加することで再現される第２の色を再現するための前記第１の色に対する前記墨版の付加量を含むカラー制御値を算出するデータ処理装置であって、
前記有彩色色材のいずれかのみ又は前記有彩色色材の組み合わせで再現される色のうち一つの代表色に対して前記墨版を付加することで生じる前記代表色の明度及び彩度の特性変化を示す特性データを前記カラー印刷装置のカラープロファイルに基づいて算出し、前記特性データに基づき前記カラー制御値を算出する制御部を有することを特徴とするデータ処理装置。
【請求項１０】
前記代表色は複数の前記有彩色色材のうち一つの有彩色色材のみを用いることにより再現される色であることを特徴とする請求項９に記載のデータ処理装置。
【請求項１１】
前記有彩色色材が少なくともシアン、マゼンダ及びイエローの三色を含むカラー印刷装置の色再現方法であって、前記代表色がイエローであることを特徴とする請求項１０に記載のデータ処理装置。
【請求項１２】
前記代表色は一つの有彩色色材のみを最大濃度で用いることにより再現される色であることを特徴とする請求項１０又は１１に記載の色再現方法。
【請求項１３】
墨版と複数の有彩色色材との組み合わせで色再現を行う第１のカラー印刷装置で再現される色を、墨版と複数の有彩色色材との組み合わせで前記第１のカラー印刷装置とは異なる色再現特性により色再現を行う第２のカラー印刷装置で再現するために、第１のカラー印刷装置のカラープロファイル及び第２のカラー印刷装置のカラープロファイル並びに前記第１のカラー印刷装置における色再現に対応する第１のカラー制御値に基づいて前記第２のカラー印刷装置における色再現に対応する第２のカラー制御値を算出するデータ処理装置であって、
前記第２のカラー印刷装置で用いる複数の有彩色色材のいずれかのみ又は複数の有彩色色材の組み合わせで再現される色のうち一つの代表色に対して前記第２のカラー印刷装置で用いる前記墨版を付加することで生じる前記代表色の明度及び彩度の特性変化を示す特性データを前記第２のカラー印刷装置のカラープロファイルに基づいて算出し、前記特性データに基づき前記第２のカラー制御値を算出する制御部を有することを特徴とするデータ処理装置。
【請求項１４】
前記代表色は複数の前記有彩色色材のうち一つの有彩色色材のみを用いることにより再現される色であることを特徴とする請求項１３に記載のデータ処理装置。
【請求項１５】
前記有彩色色材が少なくともシアン、マゼンダ及びイエローの三色を含むカラー印刷装置の色再現方法であって、前記代表色がイエローであることを特徴とする請求項１４に記載のデータ処理装置。
【請求項１６】
前記代表色は一つの有彩色色材のみを最大濃度で用いることにより再現される色であることを特徴とする請求項１４又は１５に記載のデータ処理装置。
【請求項１７】
コンピュータに、墨版と複数の有彩色色材との組み合わせで色再現を行うカラー印刷装置による前記有彩色色材のみの組み合わせで再現される第１の色に前記墨版を付加することで再現される第２の色を再現するための前記第１の色に対する前記墨版の付加量を含むカラー制御値を算出させるプログラムであって、
前記コンピュータを、前記有彩色色材のいずれかのみ又は前記有彩色色材の組み合わせで再現される色のうち一つの代表色に対して前記墨版を付加することで生じる前記代表色の明度及び彩度の特性変化を示す特性データを前記カラー印刷装置のカラープロファイルに基づいて算出し、前記特性データに基づき前記カラー制御値を算出する制御部として機能させることを特徴とするプログラム。
【請求項１８】
前記代表色は複数の前記有彩色色材のうち一つの有彩色色材のみを用いることにより再現される色であることを特徴とする請求項１７に記載のプログラム。
【請求項１９】
前記有彩色色材が少なくともシアン、マゼンダ及びイエローの三色を含むカラー印刷装置の色再現方法であって、前記代表色がイエローであることを特徴とする請求項１８に記載のプログラム。
【請求項２０】
前記代表色は一つの有彩色色材のみを最大濃度で用いることにより再現される色であることを特徴とする請求項１８又は１９に記載のプログラム。
【請求項２１】
コンピュータに、墨版と複数の有彩色色材との組み合わせで色再現を行う第１のカラー印刷装置で再現される色を、墨版と複数の有彩色色材との組み合わせで前記第１のカラー印刷装置とは異なる色再現特性により色再現を行う第２のカラー印刷装置で再現するために、第１のカラー印刷装置のカラープロファイル及び第２のカラー印刷装置のカラープロファイル並びに前記第１のカラー印刷装置における色再現に対応する第１のカラー制御値に基づいて前記第２のカラー印刷装置における色再現に対応する第２のカラー制御値を算出させるプログラムであって、
前記コンピュータを、前記第２のカラー印刷装置で用いる複数の有彩色色材のいずれかのみ又は複数の有彩色色材の組み合わせで再現される色のうち一つの代表色に対して前記第２のカラー印刷装置で用いる前記墨版を付加することで生じる前記代表色の明度及び彩度の特性変化を示す特性データを前記第２のカラー印刷装置のカラープロファイルに基づいて算出し、前記特性データに基づき前記第２のカラー制御値を算出する制御部として機能させることを特徴とするプログラム。
【請求項２２】
前記代表色は複数の前記有彩色色材のうち一つの有彩色色材のみを用いることにより再現される色であることを特徴とする請求項２１に記載のプログラム。
【請求項２３】
前記有彩色色材が少なくともシアン、マゼンダ及びイエローの三色を含むカラー印刷装置の色再現方法であって、前記代表色がイエローであることを特徴とする請求項２２に記載のプログラム。
【請求項２４】
前記代表色は一つの有彩色色材のみを最大濃度で用いることにより再現される色であることを特徴とする請求項２２又は２３に記載のプログラム。
【発明の詳細な説明】
【技術分野】
【０００１】
本発明は、色再現方法、データ処理装置及びプログラムに関する。
【背景技術】
【０００２】
無彩色色材と複数の有彩色色材との組み合わせ及びその濃度調節により色を再現するカラー印刷装置が知られている。例として、シアン（Ｃ）、マゼンダ（Ｍ）及びイエロー（Ｙの有彩色トナーとブラック（Ｋ）の無彩色トナーの計４色のトナーを重ね合わせて色再現を行うＣＭＹＫ方式のカラー印刷装置が挙げられる。以下、ＣＭＹＫ方式のカラー印刷装置を例として説明し、無彩色トナーであるブラック（Ｋ）を墨版と称する。
【０００３】
カラー印刷装置は、印刷を要求された画像データに応じて印刷媒体（例えば紙等）に画像を形成する。このとき、画像データが同一であって、画像を形成するカラー印刷装置が異なるものである場合、印刷媒体に形成された画像の色再現は異なるものとなることが多い。つまり、一般的に、印刷の色再現特性は個々のカラー印刷装置に左右される。このため、原則としてあるカラー印刷装置による色再現を確認するためにはそのカラー印刷装置による印刷を行い、その印刷物を確認する必要がある。
【０００４】
一方、大規模なカラー印刷装置による印刷を行う前に小規模なカラー印刷装置を用いて印刷時の色再現をあらかじめ確認したいという需要がある。そこで、あるカラー印刷装置（以下、第１のカラー印刷装置と称する）による色再現に対応するカラー制御値に基づき別のカラー印刷装置（以下、第２のカラー印刷装置と称する）のカラー制御値を算出し、第２のカラー印刷装置を用いて第１のカラー印刷装置による色再現をシミュレートする方法（インクシミュレーション）がある。つまり、画像データを印刷するときの第１のカラー制御値に基づき第２のカラー制御値を算出し、当該画像データを算出されたカラー制御値に基づき第２のカラー印刷装置を用いて印刷することにより、第１のカラー印刷装置を用いて当該画像データを印刷した場合の色再現をシミュレートすることができる。
【０００５】
インクシミュレーションの具体的な一手法として、第１のカラー印刷装置のカラープロファイルと第２のカラー印刷装置のカラープロファイルに基づき、第１のカラー制御値を第２のカラー制御値に変換するプロファイル色変換がある。プロファイル色変換では、インターナショナル・カラー・コンソーシアム（International Color Consortium、以下ＩＣＣと記載する）によりその仕様が標準化されたカラープロファイル（ＩＣＣプロファイル）が用いられる。ＩＣＣプロファイルは、各種のカラー印刷装置を含む複数のデバイスのカラー制御値と、各デバイスに依存しない三次元色空間の色値（CIE XYZやCIE L*a*b*）であるプロファイル・コネクション・スペース（Profile Connection Space、以下ＰＣＳと記載する）との相関関係を示す情報を含む。プロファイル色変換は、第１のカラー制御値をＰＣＳにおける色値に変換し、変換後の色値に基づき第２のカラー制御値を算出する。
【０００６】
ところで、図１２に示すように、ＣＭＹＫ方式のカラー印刷装置による色再現において、シアン（Ｃ）、マゼンダ（Ｍ）及びイエロー（Ｙ）の組み合わせで再現された色（以下、第１の色と称する）に対して墨版（Ｋ）を付加すると、第１の色より明度及び彩度の低い第２の色が得られる。第１の色に対する第２の色の明度及び彩度の比は、墨版の濃度により決定する。
ここでいう濃度とは、単位面積当たりのトナーの量を示し、0〜100(%)で管理され、その量はカラー制御値によって決定する。カラー制御値による濃度の制御は墨版に限らず、各トナーの量に適用され、色再現のカラー制御値はCMYK=(a%,b%,c%,d%)のように表される。ここで、a、ｂ、ｃ、ｄにはそれぞれ0〜100の間の数値が入り、各色の色再現時における各トナーの量を示す。墨版の濃度による明度及び彩度の高低は、dの数値に対応する。
【０００７】
第１の色に対する墨版の重ね合わせによる第２の色の色再現は、墨版を付加することにより色再現の質感向上を得られる他、印刷画像にメリハリを付けることができる等の視覚的な効果を生ずる。従って、そのような視覚的効果を期待して、墨版を意図的に用いた第２の色の色再現が行われることがある。このため、インクシミュレーションにおいて、第１のカラー印刷装置における印刷時に行われる墨版の付加による効果を、第２のカラー印刷装置における印刷時にも喪失しないために第２のカラー印刷装置における印刷時に墨版を付加すること（墨版維持）が求められている。
【０００８】
一方、図１３に示すように、墨版による明度の低下パターンは、印刷装置によって異なることがある。同様に、墨版による彩度の低下パターンも印刷装置によって異なることがある。このため、インクシミュレーションを行う際に、墨版濃度が変化することがあり、その結果として墨版維持ができないことがある。例えば、第１のカラー印刷装置における墨版を含むカラー制御値CMYK=(0%,50%,50%,12%)に基づきプロファイル色変換により第２のカラー制御値を算出した場合、CMYK=(5%,56%,56%,0%)となってしまい、墨版を喪失してしまう等の場合がある。これは、各カラー印刷装置のトナーの色特性の差異や、ＣＭＹＫ方式のカラー印刷装置を用いて無彩色即ち黒色を再現する場合、ブラック（Ｋ）のトナーのみを用いて黒色を再現する他に、シアン（Ｃ）、マゼンダ（Ｍ）及びイエロー（Ｙ）を組み合わせた混色により黒色を再現することができること等の各種要因による。
【０００９】
そこで、墨版維持方法として、先に第２のカラー印刷装置即ち出力側の印刷装置で用いる墨版の濃度を決定し、当該墨版濃度とデバイスに依存しない三次元色空間における再現目標色値とに基づき適切なCMY版のカラー制御値を決定する方法が知られている（例えば特許文献１、特許文献２等）。
【先行技術文献】
【特許文献】
【００１０】
【特許文献１】特開平９−１８６８９４号公報
【特許文献２】特開２００７−４３２５０号公報
【発明の概要】
【発明が解決しようとする課題】
【００１１】
しかしながら、特許文献１及び特許文献２に記載の墨版維持方法（以下「従来の墨版維持方法」と記載）を採用することができない場合がある。
従来の墨版維持方法を用いる場合、第２のカラー印刷装置用のＰＣＳ色値及び墨版制御値に基づきＣＭＹＫ版カラー制御値を決定するためのＰＣＳ色値及び墨版制御値の組み合わせとＣＭＹＫ版カラー制御値との相関関係を示すデータを必要とする。当該相関関係は特定のＩＣＣプロファイルに依存するため、ＩＣＣプロファイル毎に当該相関関係を示すデータも異なる。
このため、従来の墨版維持方法を採用する場合、ＰＣＳ色値及び墨版制御値の組み合わせとＣＭＹＫ版カラー制御値との相関関係を示すデータを予め用意するために第２のカラー印刷装置で用いるＩＣＣプロファイルを限定する必要がある。
【００１２】
一方、近年の多機能なポストスクリプトプリンタ等、ユーザが任意にＩＣＣプロファイルを変更可能な印刷装置が存在する。ＩＣＣプロファイルを変更可能な印刷装置の場合、ＰＣＳ色値及び墨版制御値の組み合わせとＣＭＹＫ版カラー制御値との相関関係を示すデータが用意されていないＩＣＣプロファイルを用いると、従来の墨版維持機能を採用することができない。
【００１３】
本発明の課題は、より汎用性の高い墨版維持方法を提供することである。
【課題を解決するための手段】
【００１４】
請求項１に記載の発明は、墨版と複数の有彩色色材との組み合わせで色再現を行うカラー印刷装置において、前記有彩色色材のみの組み合わせで再現される第１の色に前記墨版を付加することで再現される第２の色を再現するための前記第１の色に対する前記墨版の付加量を含むカラー制御値を算出する色再現方法であって、前記有彩色色材のいずれかのみ又は前記有彩色色材の組み合わせで再現される色のうち一つの代表色に対して前記墨版を付加することで生じる前記代表色の明度及び彩度の特性変化を示す特性データを、前記カラー印刷装置のカラープロファイルに基づいて算出するステップと、前記特性データに基づき前記カラー制御値を算出するステップと、を有することを特徴とする。
【００１５】
請求項２に記載の発明は、請求項１に記載の色再現方法であって、前記代表色は複数の前記有彩色色材のうち一つの有彩色色材のみを用いることにより再現される色であることを特徴とする。
【００１６】
請求項３に記載の発明は、請求項２に記載の色再現方法であって、前記有彩色色材が少なくともシアン、マゼンダ及びイエローの三色を含むカラー印刷装置の色再現方法であって、前記代表色がイエローであることを特徴とする。
【００１７】
請求項４に記載の発明は、請求項２又は３に記載の色再現方法であって、前記代表色は一つの有彩色色材のみを最大濃度で用いることにより再現される色であることを特徴とする。
【００１８】
請求項５に記載の発明は、墨版と複数の有彩色色材との組み合わせで色再現を行う第１のカラー印刷装置で再現される色を、墨版と複数の有彩色色材との組み合わせで前記第１のカラー印刷装置とは異なる色再現特性により色再現を行う第２のカラー印刷装置で再現するために、第１のカラー印刷装置のカラープロファイル及び第２のカラー印刷装置のカラープロファイル並びに前記第１のカラー印刷装置における色再現に対応する第１のカラー制御値に基づいて前記第２のカラー印刷装置における色再現に対応する第２のカラー制御値を算出する色再現方法であって、前記第２のカラー印刷装置で用いる複数の有彩色色材のいずれかのみ又は複数の有彩色色材の組み合わせで再現される色のうち一つの代表色に対して前記第２のカラー印刷装置で用いる前記墨版を付加することで生じる前記代表色の明度及び彩度の特性変化を示す特性データを前記第２のカラー印刷装置のカラープロファイルに基づいて算出するステップと、前記特性データに基づき前記第２のカラー制御値を算出するステップと、を有することを特徴とする。
【００１９】
請求項６に記載の発明は、請求項５に記載の色再現方法であって、前記代表色は複数の前記有彩色色材のうち一つの有彩色色材のみを用いることにより再現される色であることを特徴とする。
【００２０】
請求項７に記載の発明は、請求項６に記載の色再現方法であって、前記有彩色色材が少なくともシアン、マゼンダ及びイエローの三色を含むカラー印刷装置の色再現方法であって、前記代表色がイエローであることを特徴とする。
【００２１】
請求項８に記載の発明は、請求項５又は６に記載の色再現方法であって、前記代表色は一つの有彩色色材のみを最大濃度で用いることにより再現される色であることを特徴とする。
【００２２】
請求項９に記載の発明は、墨版と複数の有彩色色材との組み合わせで色再現を行うカラー印刷装置による前記有彩色色材のみの組み合わせで再現される第１の色に前記墨版を付加することで再現される第２の色を再現するための前記第１の色に対する前記墨版の付加量を含むカラー制御値を算出するデータ処理装置であって、前記有彩色色材のいずれかのみ又は前記有彩色色材の組み合わせで再現される色のうち一つの代表色に対して前記墨版を付加することで生じる前記代表色の明度及び彩度の特性変化を示す特性データを前記カラー印刷装置のカラープロファイルに基づいて算出し、前記特性データに基づき前記カラー制御値を算出する制御部を有することを特徴とする。
【００２３】
請求項１０に記載の発明は、請求項９に記載のデータ処理装置であって、前記代表色は複数の前記有彩色色材のうち一つの有彩色色材のみを用いることにより再現される色であることを特徴とする。
【００２４】
請求項１１に記載の発明は、請求項１０に記載のデータ処理装置であって、前記有彩色色材が少なくともシアン、マゼンダ及びイエローの三色を含むカラー印刷装置の色再現方法であって、前記代表色がイエローであることを特徴とする。
【００２５】
請求項１２に記載の発明は、請求項１０又は１１に記載の色再現方法であって、前記代表色は一つの有彩色色材のみを最大濃度で用いることにより再現される色であることを特徴とする。
【００２６】
請求項１３に記載の発明は、墨版と複数の有彩色色材との組み合わせで色再現を行う第１のカラー印刷装置で再現される色を、墨版と複数の有彩色色材との組み合わせで前記第１のカラー印刷装置とは異なる色再現特性により色再現を行う第２のカラー印刷装置で再現するために、第１のカラー印刷装置のカラープロファイル及び第２のカラー印刷装置のカラープロファイル並びに前記第１のカラー印刷装置における色再現に対応する第１のカラー制御値に基づいて前記第２のカラー印刷装置における色再現に対応する第２のカラー制御値を算出するデータ処理装置であって、前記第２のカラー印刷装置で用いる複数の有彩色色材のいずれかのみ又は複数の有彩色色材の組み合わせで再現される色のうち一つの代表色に対して前記第２のカラー印刷装置で用いる前記墨版を付加することで生じる前記代表色の明度及び彩度の特性変化を示す特性データを前記第２のカラー印刷装置のカラープロファイルに基づいて算出し、前記特性データに基づき前記第２のカラー制御値を算出する制御部を有することを特徴とする。
【００２７】
請求項１４に記載の発明は、請求項１３に記載のデータ処理装置であって、前記代表色は複数の前記有彩色色材のうち一つの有彩色色材のみを用いることにより再現される色であることを特徴とする。
【００２８】
請求項１５に記載の発明は、請求項１４に記載のデータ処理装置であって、前記有彩色色材が少なくともシアン、マゼンダ及びイエローの三色を含むカラー印刷装置の色再現方法であって、前記代表色がイエローであることを特徴とする。
【００２９】
請求項１６に記載の発明は、請求項１４又は１５に記載のデータ処理装置であって、前記代表色は一つの有彩色色材のみを最大濃度で用いることにより再現される色であることを特徴とする。
【００３０】
請求項１７に記載の発明は、コンピュータに、墨版と複数の有彩色色材との組み合わせで色再現を行うカラー印刷装置による前記有彩色色材のみの組み合わせで再現される第１の色に前記墨版を付加することで再現される第２の色を再現するための前記第１の色に対する前記墨版の付加量を含むカラー制御値を算出させるプログラムであって、前記コンピュータを、前記有彩色色材のいずれかのみ又は前記有彩色色材の組み合わせで再現される色のうち一つの代表色に対して前記墨版を付加することで生じる前記代表色の明度及び彩度の特性変化を示す特性データを前記カラー印刷装置のカラープロファイルに基づいて算出し、前記特性データに基づき前記カラー制御値を算出する制御部として機能させることを特徴とする。
【００３１】
請求項１８に記載の発明は、請求項１７に記載のプログラムであって、前記代表色は複数の前記有彩色色材のうち一つの有彩色色材のみを用いることにより再現される色であることを特徴とする。
【００３２】
請求項１９に記載の発明は、請求項１８に記載のプログラムであって、前記有彩色色材が少なくともシアン、マゼンダ及びイエローの三色を含むカラー印刷装置の色再現方法であって、前記代表色がイエローであることを特徴とする。
【００３３】
請求項２０に記載の発明は、請求項１８又は１９に記載のプログラムであって、前記代表色は一つの有彩色色材のみを最大濃度で用いることにより再現される色であることを特徴とする。
【００３４】
請求項２１に記載の発明は、コンピュータに、墨版と複数の有彩色色材との組み合わせで色再現を行う第１のカラー印刷装置で再現される色を、墨版と複数の有彩色色材との組み合わせで前記第１のカラー印刷装置とは異なる色再現特性により色再現を行う第２のカラー印刷装置で再現するために、第１のカラー印刷装置のカラープロファイル及び第２のカラー印刷装置のカラープロファイル並びに前記第１のカラー印刷装置における色再現に対応する第１のカラー制御値に基づいて前記第２のカラー印刷装置における色再現に対応する第２のカラー制御値を算出させるプログラムであって、前記コンピュータを、前記第２のカラー印刷装置で用いる複数の有彩色色材のいずれかのみ又は複数の有彩色色材の組み合わせで再現される色のうち一つの代表色に対して前記第２のカラー印刷装置で用いる前記墨版を付加することで生じる前記代表色の明度及び彩度の特性変化を示す特性データを前記第２のカラー印刷装置のカラープロファイルに基づいて算出し、前記特性データに基づき前記第２のカラー制御値を算出する制御部として機能させることを特徴とする。
【００３５】
請求項２２に記載の発明は、請求項２１に記載のプログラムであって、前記代表色は複数の前記有彩色色材のうち一つの有彩色色材のみを用いることにより再現される色であることを特徴とする。
【００３６】
請求項２３に記載の発明は、請求項２２に記載のプログラムであって、前記有彩色色材が少なくともシアン、マゼンダ及びイエローの三色を含むカラー印刷装置の色再現方法であって、前記代表色がイエローであることを特徴とする。
【００３７】
請求項２４に記載の発明は、請求項２２又は２３に記載のプログラムであって、前記代表色は一つの有彩色色材のみを最大濃度で用いることにより再現される色であることを特徴とする。
【発明の効果】
【００３８】
本発明によれば、より汎用性の高い墨版維持方法を提供することができる。
【図面の簡単な説明】
【００３９】
【図１】本発明の一実施形態によるデータ処理装置を有する印刷装置の主要構成を示すブロック図である。
【図２】組込カラープロファイルに含まれる特性データである、墨版濃度と墨版濃度によって変化する明度比及び彩度比との相関関係を示すデータである。
【図３】図２に示す相関関係を示すグラフである。
【図４】シアン（Ｃ）、マゼンダ（Ｍ）及びイエロー（Ｙ）の単色又はいずれか二つの組み合わせによる各再現色の明度及び彩度の一例を示す分布平面図である。
【図５】図２に示す明度比及び彩度比における明度比と彩度比との相関関係を示すテーブルデータ４２である。
【図６】図５のテーブルデータ４２が示す相関関係のグラフである。
【図７】Rlq1がRl Range範囲内にある場合の一例を示す説明図である。
【図８】Rlq1がRl Range範囲内にない場合の一例を示す説明図である。
【図９】点P1に基づき墨版濃度Kpを求める処理の説明図である。
【図１０】インクシミュレーション処理の全体の流れを示すフローチャートである。
【図１１】墨版濃度Kpの算出処理の流れを示すサブフローである。
【図１２】墨版（Ｋ）の追加による再現色の明度及び彩度の低下の一例を示すグラフである。
【図１３】二つの異なる印刷装置（DeviceA、DeviceB）における墨版濃度と明度との相関関係の一例を示すグラフである。
【発明を実施するための形態】
【００４０】
以下、図を参照して本発明の実施の形態の例を詳細に説明する。
図１は、本発明の一実施形態によるデータ処理装置１０を有する印刷装置１の主要構成を示すブロック図である。
印刷装置１は、データ処理装置１０及び画像形成回路２０を備える。データ処理装置１０は、ＣＰＵ１１、作業メモリ１２、出力イメージメモリ１３、プログラム・資源メモリ１４、ストレージデバイス１５、データ受信回路１６、制御回路１７及びこれらを相互に接続するバス１８を備える。
【００４１】
ＣＰＵ１１は、データ処理装置１０が行う各種処理及びデータ処理装置１０を含む印刷装置１の各部の動作制御を行う。具体的には、処理内容に応じたプログラム、データ等をプログラム・資源メモリ１４から読み出して実行、処理し、処理結果に基づく各部の動作制御を行う。
【００４２】
作業メモリ１２は、ＣＰＵ１１の処理において一時的に生じるデータ等を記憶するＲＡＭ(Random Access Memory)である。
出力イメージメモリ１３は、画像形成回路２０に出力する印刷データを記憶するためのＲＡＭである。出力イメージメモリ１３に記憶される印刷データは、後述するインクシミュレーション処理後の印刷データ（変換後印刷データ５２）である。
【００４３】
プログラム・資源メモリ１４は、ＣＰＵ１１が読み出す各種のプログラム、データ等を記憶するＲＯＭ(Read Only Memory)である。プログラム・資源メモリ１４は、色変換プログラム３１及び組込プロファイル３２を記憶する。
色変換プログラム３１は、インクシミュレーション処理及びインクシミュレーション処理において行う各種の処理を行うためのプログラムである。組込プロファイル３２は、色変換プログラム３１を用いたインクシミュレーション処理において用いられるデータである。
【００４４】
ストレージデバイス１５は、例えばハードディスクドライブやフラッシュメモリ等の書き換え可能な記憶装置である。
【００４５】
データ受信回路１６は、外部の機器から入力されたデータを受信する。
制御回路１７は、画像形成回路２０の動作を制御する制御信号を出力する。
【００４６】
画像形成回路２０は、制御回路１７からの制御信号に基づき、出力イメージメモリ１３に記憶された印刷データを読み出してビデオ信号を出力する。印刷装置１は、ビデオ信号に基づき紙等の印刷媒体に画像を印刷する印刷エンジン（図示省略）を有し、画像形成回路はデータ処理装置１０の処理結果に基づく印刷データに基づいて印刷エンジンに解釈可能なビデオ信号を生成して出力する。印刷装置１の印刷エンジンは、CMYK方式による印刷を行う。つまり、印刷装置１は、CMYK方式のカラー印刷装置である。
【００４７】
次に、組込カラープロファイル３２について説明する。組込カラープロファイル３２は、印刷装置１のカラープロファイルとして、墨版の付加及びその付加量（濃度）による明度及び彩度の特性変化を示す特性データ４１を有する。  
【００４８】
図２は、組込カラープロファイル３２に含まれる特性データ４１である、墨版濃度と墨版濃度によって変化する明度比及び彩度比との相関関係を示すデータである。図２の明度比及び彩度比は、カラー制御値CMYK=(0,0,100,0)による色の明度及び彩度に対する明度比及び彩度比である。具体的には、カラー制御値CMYK=(0,0,100,0)、即ち墨版濃度0(%)であって、かつ、シアン及びマゼンダの濃度0(%)、イエロー（Ｙ）の濃度100(%)である色の明度及び彩度を１、カラー制御値CMYK=(0,0,100,100)、即ち墨版濃度100(%)であって、かつ、シアン及びマゼンダの濃度0(%)、イエロー（Ｙ）の濃度100(%)である色の明度及び彩度を０とし、墨版濃度のみを0(%)、11(%)、22(%)、33(%)、44(%)、56(%)、67(%)、78(%)、89(%)、100(%)の各濃度に変化させた場合の明度比及び彩度比である。
図３は、図２に示す相関関係を示すグラフである。
【００４９】
図２に示すように、組込カラープロファイル３２は、墨版濃度によって変化する明度及び彩度に関する特性データ４１を有する。特性データ４１は、印刷装置１のカラープロファイルに基づいて算出された明度比及び彩度比のデータである。特性データ４１は、代表色として有彩色色材の一つであるイエロー（Ｙ）の濃度100%のみによる再現色を用いている。即ち、シアン（Ｃ）、マゼンダ（Ｍ）及びイエロー（Ｙ）によるカラー制御値CMY=(0,0,100)で表される色が代表色である。
【００５０】
図４は、シアン（Ｃ）、マゼンダ（Ｍ）及びイエロー（Ｙ）の単色又はいずれか二つの組み合わせによる各再現色の明度及び彩度の一例を示す分布平面図である。
図４に示すように、イエロー（Ｙ）の濃度100%のみによって再現される色は、明度及び彩度が共に0である点（原点）からの距離が他の再現色に比して最も遠くに位置する。即ち、イエロー（Ｙ）の濃度100%のみによって再現される色が有するダイナミックレンジが他の再現色に比して高いことを示す。墨版の付加による明度及び彩度の変化は、その基となる色のダイナミックレンジが高い、即ち明度及び彩度が共に高い程より明確に確認することができる。このため、本実施形態では特性データ４１の明度比及び彩度比を算出するための代表色としてイエロー（Ｙ）の濃度100%のみによって再現される色を用いている。
【００５１】
図３に示すグラフは、図２に示す特性データ４１の各濃度における各明度比間及び各彩度比間をそれぞれ直線補完したものである。
【００５２】
図５は、図２に示す明度比及び彩度比における明度比と彩度比との相関関係を示すテーブルデータ４２である。
図６は、図５のテーブルデータ４２が示す相関関係のグラフである。
特性データ４１に含まれる各データ取得点、即ち墨版濃度が0(%)、11(%)、22(%)、33(%)、44(%)、56(%)、67(%)、78(%)、89(%)、100(%)である場合のそれぞれのデータ取得点間（図５に示すVk Range）の明度比（図５に示すRl Range）における明度比と彩度比との相関関係は、図５のEquationに示す式によって直線補完され、図６に示すグラフを構成する。
【００５３】
組込カラープロファイル３２は、特性データ４１の他、印刷装置１による色再現のためのカラープロファイルProfDを含んでいる。本実施形態において、図２に示す特性データ４１及び図５に示すテーブルデータ４２は、カラープロファイルProfDに基づいてあらかじめ算出されたデータである。
【００５４】
次に、データ処理装置１０によるインクシミュレーション処理について説明する。データ処理装置１０が行うインクシミュレーションは、他の印刷装置（第１の印刷装置に相当）による色再現を、印刷装置１（第２の印刷装置に相当）による色再現でシミュレートすることを目的とするものである。
【００５５】
以下、インクシミュレーション処理の流れに沿って説明する。
まず、データ受信装置１６を介して、外部の機器から印刷データが入力される。このとき、外部入力カラープロファイルProfTも共に入力される。外部入力カラープロファイルProfTは、他の印刷装置のカラープロファイルである。以後の記載において、区別のため、データ受信装置１６を介して外部から入力される印刷データを変換前印刷データ５１、ＣＰＵ１１のインクシミュレーション処理により出力イメージメモリに格納される印刷データを変換後印刷データ５２とする。
【００５６】
変換前印刷データ５１は、その内容に外部入力カラープロファイルProfTに基づくカラー制御値PQRK1=(Pin,Qin,Rin,Kin)を含む。つまり、インクシミュレーション処理による色再現の目標色は、他の印刷装置において外部入力カラープロファイルProfTに基づくカラー制御値PQRK1=(Pin,Qin,Rin,Kin)の再現色を印刷した場合の色である。
【００５７】
変換前印刷データ５１及び外部入力カラープロファイルProfTの入力を受けると、ＣＰＵ１１は、外部入力カラープロファイルProfTをストレージデバイス１５に記憶させる。そして、ＣＰＵ１１は、プログラム・資源メモリ１４から色変換プログラム３１及び組込プロファイル３２を読み出してインクシミュレーション処理を行う。
【００５８】
インクシミュレーション処理において、ＣＰＵ１１はまず通常のカラープロファイル変換を行う。具体的には、ＣＰＵ１１は外部入力カラープロファイルProfT及びカラープロファイルProfDに基づいて変換前印刷データ５１のカラー制御値PQRK1=(Pin,Qin,Rin,Kin)からカラー制御値CMYK1=(Co1,Mo1,Yo1,Ko1)を生成する。カラー制御値CMYK1=(Co1,Mo1,Yo1,Ko1)は、他の印刷装置で変換前印刷データ５１のカラー制御値PQRK1=(Pin,Qin,Rin,Kin)を印刷した場合の色を印刷装置１で再現することを目的としたカラー制御値である。通常のカラープロファイル変換は周知の技術であるので、その詳細を割愛する。
【００５９】
次に、ＣＰＵ１１は変換前印刷データ５１のカラー制御値PQRK1=(Pin,Qin,Rin,Kin)の墨版濃度KinについてKin＞0であるか否か、カラー制御値CMYK1=(Co1,Mo1,Yo1,Ko1)の墨版濃度Ko1についてKo1＝０であるか否かを判定する。Kin＞０、かつ、Ko1＝0でない場合、墨版は維持されていると判定し、ＣＰＵ１１は変換前印刷データ５１のカラー制御値PQRK1=(Pin,Qin,Rin,Kin)の変換結果即ち再現色として、カラー制御値CMYK1=(Co1,Mo1,Yo1,Ko1)を返す。Kin＞０、かつ、Ko1＝0である場合、墨版を喪失したと判定し、ＣＰＵ１１は墨版維持のためのカラープロファイル変換を行う。
【００６０】
次に、墨版維持のためのカラープロファイル変換について、流れに沿って説明する。
まず、ＣＰＵ１１は、変換前印刷データ５１のカラー制御値PQRK1=(Pin,Qin,Rin,Kin)の墨版濃度Kinを0に置換したカラー制御値PQRK2=(Pin,Qin,Rin,0)を生成する。そして、ＣＰＵ１１は、外部入力カラープロファイルProfT及びカラープロファイルProfDに基づいた通常のカラープロファイル変換によりカラー制御値PQRK2=(Pin,Qin,Rin,0)からカラー制御値CMYK2=(Co2,Mo2,Yo2,Ko2)を生成する。
【００６１】
次に、ＣＰＵ１１は、カラー制御値CMYK2=(Co2,Mo2,Yo2,Ko2)の墨版濃度Ko2を0に置換したカラー制御値CMYK3=(Co2,Mo2,Yo2,0)を生成する。そして、ＣＰＵ１１は、カラープロファイルProfDに基づいた通常のカラープロファイル変換によりカラー制御値CMYK3=(Co2,Mo2,Yo2,0)からＰＣＳ色値L*a*b*2=(Lo2,Ao2,Bo2)を生成する。
【００６２】
次に、ＣＰＵ１１は、ＰＣＳ色値L*a*b*2=(Lo2,Ao2,Bo2)の彩度So2を算出する。このとき、彩度So及び彩度So2の算出は、以下の式（１）に基づいて行われる。
Ｓ＝SQRT(Ａ＾２+Ｂ＾２)……（１）
式（１）は彩度Ｓを、ＰＣＳ色値(L,A,B)を構成する色値A及び色値Bに基づきSQRT関数を用いて算出することを示す。
【００６３】
次に、ＣＰＵ１１は、カラープロファイルProfDに基づいた通常のカラープロファイル変換によりカラー制御値CMYK1=(Co1,Mo1,Yo1,Ko1)からPCS色値L*a*b*1=(Lo1,Ao1,Bo1)を生成する。そして、ＣＰＵ１１は、式（１）に基づいてPCS色値L*a*b*=(Lo1,Ao1,Bo1)の彩度So1を算出する。
【００６４】
そして、ＣＰＵ１１は、明度Lo1、Lo2及び彩度So1,So2と特性データ４１に基づき、カラー制御値CMYK3=(Co3,Mo3,Yo3,0)に付加する墨版濃度Kpを算出する。墨版濃度Kpは、カラー制御値CMYK3=(Co3,Mo3,Yo3,0)に対して墨版を付加することで変換前印刷データ５１のカラー制御値PQRK1=(Pin,Qin,Rin,Kin)による色を再現するために最適な墨版濃度である。
【００６５】
以下、墨版濃度Kpを算出するための処理内容について説明する。
まず、ＣＰＵ１１は、PCS色値L*a*b*=(Lo1,Ao1,Bo1)の明度及び彩度（Lo1,So1）に対するＰＣＳ色値L*a*b*2=(Lo2,Ao2,Bo2)の明度及び彩度（Lo2,So2）の明度比及び彩度比を算出する。以下、明度Lo1に対する明度Lo2の比をRl、彩度So1に対する彩度So2の比をRsと示し、その明度比及び彩度比を示す点を点P0(Rs,Rl)とする。
【００６６】
次に、ＣＰＵ１１は、図６に示すグラフ上即ち図５に示す特性データ４１の明度比及び彩度比の相関関係上において点P0(Rs,Rl)に最も近似する明度比及び彩度比を有する点P1を取得する。
【００６７】
点P1を取得するための処理として、まず、ＣＰＵ１１は、図２に示す特性データ４１の各墨版濃度に対応したデータ取得点における明度比と彩度比との相関関係のうち、点P0(Rs,Rl)に最も近似するデータ取得点P(N)を求め、取得する。
【００６８】
次に、ＣＰＵ１１は、データ取得点P(N)をその一端とする補完直線、即ちP(N-1)〜P(N)間及びP(N)〜P(N+1)間の二つの補完直線を示す式を求める。そして、当該二つの直線のそれぞれについて、当該二つの直線のそれぞれに対して直交する直線であって点P0(Rs,Rl)を通る直線との交点Pq(Rsq,Rlq)を求める。
【００６９】
点(x0,y0)を通る直線ax+by+c=0への垂線は以下の式（２）によって表される。
bx−ay＋（ay0−bx0）＝0……（２）
そして、直線a1x＋b1y+c1=0と直線a2x＋b2y＋c2＝0の直交点Pc(xc,yc)のxcは以下の式（３）により、ycは以下の式（４）により求めることができる。
xc＝b1c2−b2c1／a1b2−a2b1……（３）
yc＝a2c1−a1c2／a1b2−a2b1……（４）
ＣＰＵ１１は、点P0(Rs,Rl)を式（２）の点(x0,y0)とし、データ取得点P(N)をその一端とする補完直線を式（３）のax+by+c=0として点P0(Rs,Rl)を通って図６のグラフで示す線に直交する垂線を示す式を求め、当該垂線を示す式とデータ取得点P(N)をその一端とする補完直線との直交点を式（４）に基づいて求めることで交点Pq(Rsq,Rlq)を求める。
【００７０】
以下、便宜上、P(N-1)〜P(N)間の補完直線と直交する交点を交点Pq1(Rsq1,Rlq1)、P(N)〜P(N+1)間の補完直線と直交する交点を交点Pq2(Rsq2,Rlq2)とする。
ＣＰＵ１１は、交点Pq1(Rsq1,Rlq1)のRlq1について、P(N-1)〜P(N)間の図５に示すRl Range範囲内にあるか否か判定する。
【００７１】
図７は、Rlq1がRl Range範囲内にある場合の一例を示す説明図である。
Rlq1がRl Range範囲内にある場合、図７に示すように、Pq1(Rsq1,Rlq1)は図６に示すグラフの補完直線の実線部分に位置する。
【００７２】
図８は、Rlq1がRl Range範囲内にない場合の一例を示す説明図である。
Rlq1がRl Range範囲内にない場合、図８に示すように、Pq1(Rsq1,Rlq1)は図６に示すグラフの補完直線の実線部分ではなく、P(N-1)〜P(N)間の補完直線の延長線上に位置することを示し、特性データ４１から得られる明度比ではないことを示す。
【００７３】
同様に、ＣＰＵ１１は交点Pq2(Rsq2,Rlq2)のRlqについてもP(N)〜P(N+1)間の図５に示すRl Range範囲内にあるか否か判定する。
【００７４】
交点Pq1(Rsq1,Rlq1)のRlq1及び交点Pq2(Rsq2,Rlq2)のRlq2が共にそれぞれのRl Range範囲内にある場合、ＣＰＵ１１は交点Pq1(Rsq1,Rlq1)又は交点Pq2(Rsq2,Rlq2)のうち点P0(Rs,Rl)により近傍する交点を点P1として取得する。交点Pq1(Rsq1,Rlq1)又は交点Pq2(Rsq2,Rlq2)のいずれか一方のみそのRl Range範囲内にある場合、ＣＰＵ１１はRl Range範囲内にある交点を点P1として取得する。交点Pq1(Rsq1,Rlq1)のRlq1及び交点Pq2(Rsq2,Rlq2)のRlq2が共にそれぞれのRl Range範囲内にある場合、ＣＰＵ１１はデータ取得点P(N)を点P1として取得する。
【００７５】
図９は、点P1に基づき墨版濃度Kpを求める処理の説明図である。
ＣＰＵ１１は、点P1の明度比に対応する墨版濃度を図５に示すテーブルデータ４２のRl Range、Vk Range及びEquationに基づき算出し、その算出結果を墨版濃度Kpとして取得する。以上の処理により、墨版濃度Kpが得られる。
【００７６】
そして、ＣＰＵ１１は、カラー制御値CMYK2のシアン（Ｃ）、マゼンダ（Ｍ）及びイエロー（Ｙ）の各濃度地Co2、Mo2及びYo2と墨版濃度Kpとによるカラー制御値CMYK4=(Co2,Mo2,Yo2,Kp)を変換前印刷データ５１のカラー制御値PQRK1=(Pin,Qin,Rin,Kin)の変換結果即ち再現色として返す。
【００７７】
そして、ＣＰＵ１１は、得られた再現色による印刷データ（変換後印刷データ５２）を出力イメージメモリ１３に記憶させる。
【００７８】
次に、データ処理装置１０のインクシミュレーション処理の流れを図１０及び図１１のフローチャートに基づいて説明する。
図１０は、インクシミュレーション処理の全体の流れを示すフローチャートである。
【００７９】
ＣＰＵ１１は、外部入力カラープロファイルProfT及びカラープロファイルProfDに基づいた通常のカラープロファイル変換により、カラー制御値PQRK1=(Pin,Qin,Rin,Kin)からカラー制御値CMYK1=(Co1,Mo1,Yo1,Ko1)を生成する（ステップＳ１）。次に、ＣＰＵ１１は、Kin＞0、かつ、Ko1＝0であるか否かを判定する（ステップＳ２）。
【００８０】
ステップＳ２において、Kin＞0、かつ、Ko1＝0でない場合（ステップＳ２：ＮＯ）、ＣＰＵ１１はカラー制御値CMYK1=(Co1,Mo1,Yo1,Ko1)を再現色として出力し（ステップＳ３）、処理を終了する。
【００８１】
ステップＳ２において、Kin＞0、かつ、Ko1＝0である場合（ステップＳ２：ＹＥＳ）、ＣＰＵ１１は、外部入力カラープロファイルProfT及びカラープロファイルProfDに基づいた通常のカラープロファイル変換により、カラー制御値PQRK2=(Pin,Qin,Rin,0)からカラー制御値CMYK2=(Co2,Mo2,Yo2,Ko2)を生成する（ステップＳ４）。次に、ＣＰＵ１１は、カラープロファイルProfDに基づいて通常のカラープロファイル変換によりカラー制御値CMYK3=(Co2,Mo2,Yo2,0)からＰＣＳ色値L*a*b*2=(Lo2,Ao2,Bo2)を生成する（ステップＳ５）。そして、ＣＰＵ１１は、式（１）に基づいてＣＰＵ１１は、ＰＣＳ色値L*a*b*2=(Lo2,Ao2,Bo2)の彩度So2を算出する（ステップＳ６）。
【００８２】
さらに、ＣＰＵ１１は、カラープロファイルProfDに基づいて通常のカラープロファイル変換によりステップＳ１で得られたカラー制御値CMYK1=(Co1,Mo1,Yo1,Ko1)からPCS色値L*a*b*1=(Lo1,Ao1,Bo1)を生成する（ステップＳ７）。そして、ＣＰＵ１１は、式（１）に基づいてPCS色値L*a*b*=(Lo1,Ao1,Bo1)の彩度So1を算出する（ステップＳ８）。
【００８３】
そして、ＣＰＵ１１は、明度Lo1、Lo2及び彩度So1,So2と特性データ４１に基づき、墨版濃度Kpの算出処理を行い（ステップＳ９）。ステップＳ９で得られた墨版濃度Kpに基づいてＣＰＵ１１はカラー制御値CMYK4=(Co2,Mo2,Yo2,Kp) を再現色として出力し（ステップＳ１０）、処理を終了する。
なお、ステップＳ４〜Ｓ６とステップＳ７〜Ｓ８の処理は並列して行うことが可能であり、その処理順番が入れ替わってもよいし、同時に処理されてもよい。
【００８４】
次に、ステップＳ９に示す墨版濃度Kpの算出処理について説明する。
図１１は、墨版濃度Kpの算出処理の流れを示すサブフローである。
まず、ＣＰＵ１１は、ステップＳ７で得た明度Lo1及びステップＳ５で得た明度Lo2に基づいて明度Lo1に対する明度Lo2の明度比Rlを算出すると共に、ステップＳ８で得た彩度So1及びステップＳ６で得た彩度So2に基づいて彩度So1に対する彩度So2の彩度比Rsを算出し、P0(Rs,Rl)を取得する（ステップＳ１１）。次に、ＣＰＵ１１は、図２に示す特性データ４１が示す明度比及び彩度比の相関関係に基づき、当該相関関係上においてステップＳ１１で得られた明度比及び彩度比を示す点P0(Rs,Rl)に最も近似するデータ取得点P(N)を取得する（ステップＳ１２）。さらに、ＣＰＵ１１は、図５に示すデータ取得点間の補完直線方程式Equationに基づき、データ取得点P(N)をその一端とする補完直線、即ちP(N-1)〜P(N)間及びP(N)〜P(N+1)間の二つの補完直線を示す式を取得し、当該二つの直線のそれぞれに対して直交する直線であって点P0(Rs,Rl)を通る直線との交点Pq1(Rsq1,Rlq1)、交点Pq2(Rsq2,Rlq2)を取得する（ステップＳ１３）。そして、ＣＰＵ１１は、Rlq1及びRlq2がRl Range内にあるか否かの判定結果に基づいて点P1を取得し、点P1の明度比に対応する墨版濃度Kpを図５に示すテーブルデータ４２のRl Range、Vk Range及びEquationに基づいて取得する（ステップＳ１４）。
【００８５】
以上は、他の印刷装置による変換前印刷データ５１に基づいたインクシミュレーション処理を行う場合に関する記載であるが、本実施形態による墨版制御は他の用途にも適用可能である。例えば、コンピュータの表示装置において表示されている再現色を印刷装置１で出力する場合、表示されている再現食をデータ受信装置１６から入力して墨版制御を行う等の場合にも適用することができる。
【００８６】
本実施形態によれば、印刷装置１のカラープロファイルProfDに基づいて一つの代表色（カラー制御値CMY=(0,0,100)で表される色）に対して墨版を付加することで生じる代表色の明度及び彩度の特性変化を示す特性データ４１をあらかじめ算出しておき、特性データ４１に基づき墨版濃度Kpを算出する。つまり、墨版維持のための墨版濃度Kpを算出するための特性データ４１は、印刷装置１のカラープロファイルProfDに基づいて算出することができるので、従来の墨版維持方法のように墨版維持のためにＩＣＣプロファイルを制限するような制約が生じない。このため、ユーザが任意にＩＣＣプロファイルを変更可能な印刷装置であっても墨版維持を行うことができる等、より汎用性の高い墨版維持方法を提供することができる。
【００８７】
さらに、代表色として有彩色色材の一つであるイエロー（Ｙ）のみによる再現色を用いているので、複数の有彩色色材の組み合わせによる再現色を代表色とした場合に比してその明度及び彩度が安定した色を代表色とした特性データ４１を算出することができ、同一の種類のカラー印刷装置の間で同一の特性データ４１を複製して用いる場合に各カラー印刷装置間で誤差の極めて少ない安定した明度比及び彩度比の変化に基づく墨版濃度制御を行うことができる。
【００８８】
さらに、印刷装置１はシアン（Ｃ）、マゼンダ（Ｙ）及びイエロー（Ｙ）の有彩色色材を用い、代表色として有彩色色材の一つであるイエロー（Ｙ）のみによる再現色を用いているので、他の代表色に比して代表色のダイナミックレンジを大きく確保することができ、墨版濃度に応じた明度比及び彩度比の変化をより明確に示す特性データ４１を算出することができる。
【００８９】
さらに、代表色として有彩色色材の一つであるイエロー（Ｙ）の濃度100%のみによる再現色を用いているので、代表色のダイナミックレンジを最も大きく確保することができ、墨版濃度に応じた明度比及び彩度比の変化をより明確に示す特性データ４１を算出することができる。
【００９０】
なお、本発明の実施の形態は、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００９１】
例えば、本実施形態におけるデータ処理装置１０は、印刷装置１の一構成であるが、印刷装置とは別個のデータ処理装置として設けてもよい。例えば、ＰＣ等のコンピュータをデータ処理装置として機能させてもよい。
【００９２】
本実施形態では、CMYK方式の印刷装置におけるイエロー（Ｙ）の最大濃度（100%）のみによる再現色を代表色としているが、イエロー（Ｙ）に限らず、他の有彩色色材のみによる再現色や複数の有彩色色材の組み合わせによる再現色を代表色としてもよいし、代表色に用いる有彩色色材の濃度は任意に決定することができる。
【００９３】
本発明は、CMYK方式の印刷装置に限らず、他の有彩色色材を用いる印刷装置に対して適用することもできる。例えば、CMYKとは異なる三色の有彩色色材を用いる印刷装置（例えばRGB方式等）や、四色以上又は二色以下の有彩色色材を用いる印刷装置でもよい。
【００９４】
本実施形態で示した特性データのデータ取得点となる墨版濃度の取得点数及び各データ取得点の墨版濃度、その他の各種のデータが有する数値等は一例であり、本発明をこれに限定するものではない。例えば、１０個以上または８個以下のデータ取得点による特性データであってもよいし、各データ取得点間を直線補完以外の方法（例えば相似曲線等）によって補完してもよい。
【００９５】
以上の説明では、本発明に係るプログラムのコンピュータ読み取り可能な媒体としてＲＯＭを使用した例を開示したが、この例に限定されない。その他のコンピュータ読み取り可能な媒体として、フラッシュメモリ等の不揮発性メモリ、ＣＤ-ＲＯＭ等の可搬型記録媒体を適用することが可能である。また、本発明に係るプログラムのデータを通信回線を介して提供する媒体として、キャリアウエーブ(搬送波)も本発明に適用される。
【符号の説明】
【００９６】
１１    ＣＰＵ
１２    作業メモリ
１３    出力イメージメモリ
１４    プログラム・資源メモリ
１５    ストレージデバイス
１６    データ受信回路
１７    制御回路
２０    画像形成回路
３１    色変換プログラム
３２    組込カラープロファイル
４１    特性データ
ProfT    外部入力カラープロファイル
ProfD    カラープロファイル
【図１】
2010199773.tif 000003
【図２】
2010199773.tif 000004
【図３】
2010199773.tif 000005
【図４】
2010199773.tif 000006
【図５】
2010199773.tif 000007
【図６】
2010199773.tif 000008
【図７】
2010199773.tif 000009
【図８】
2010199773.tif 000010
【図９】
2010199773.tif 000011
【図１０】
2010199773.tif 000012
【図１１】
2010199773.tif 000013
【図１２】
2010199773.tif 000014
【図１３】
2010199773.tif 000015